Podtech/llm-jp-corpus-v4-ja_patent huggingface dataset:
(57)【要約】      （修正有）【課題】災害時や緊急時に手軽に素早く使用できる小用簡易トイレを提供する。【解決手段】上端に縁枠を設けたテーパー型筒Ａに、底に結び目をつくった長尺のポリ袋の上部を内側から通して、その上端部をテーパー型筒Ａの底に達する位まで外側に折り返し、別途上端に縁枠を設けたテーパー型筒Ｂを、長尺のポリ袋をその内側から通してテーパー型筒Ａにはめ込み、長尺のポリ袋の底に液体吸収剤を入れて長尺のポリ袋をテーパー型筒Ａ内に押入れて収めた。【選択図】図１
0003159123.tif 000002
【実用新案登録請求の範囲】
【請求項１】
上端に縁枠を設けたテーパー型筒Ａに、底に結び目をつくった長尺のポリ袋の上部を内側から通して、その上端部を該テーパー型筒Ａの底に達する位まで外側に折り返し、別途上端に縁枠を設けたテーパー型筒Ｂを、上記長尺のポリ袋をその内側から通してテーパー型筒Ａにはめ込み、長尺のポリ袋の底に液体吸収剤等を入れて該長尺のポリ袋をテーパー型筒Ａ内に押入れて収めた、小用簡易トイレ。
【請求項２】
上端に縁枠を設けたテーパー型筒Ａ及びテーパー型筒Ｂの上面を曲面とした、請求項１に記載の、小用簡易トイレ。
【考案の詳細な説明】
【技術分野】
【０００１】  本考案は、小用簡易トイレに関するものである。
【背景技術】
【０００２】  従来災害時や緊急時の小用簡易トイレに関しては、いろいろのものが提案されている。災害時や緊急時の小用簡易トイレは、できるだけ小型で手軽に使用できることが重要である。これにはダンボール製のものやペットボトルを使用する提案等がある。
【考案の概要】
【考案が解決しようとする課題】
【０００３】  従来、災害時や緊急時の小用簡易トイレに関してダンボール製のものやペットボトルを使用する提案等があるが、ダンボール製のものは折りたたんだ状態のものを組み立てたり広げたりしてその中に尿袋をセットしたりしなければならないので手間がかかる。またペットボトルを使用するものはそれ用の器具を必要とし、ペットボトルを用意して置かなければならない。
本考案は、もっと簡便に素早く使用できる小用簡易トイレを提案するものである。
【課題を解決するための手段】
【０００４】  上端に縁枠を設けたテーパー型筒Ａに、底に結び目をつくった長尺のポリ袋の上部を内側から通して、その上端部を該テーパー型筒Ａの底に達する位まで外側に折り返す。
別途上端に縁枠を設けたテーパー型筒Ｂを、上記長尺のポリ袋をその内側から通してテーパー型筒Ａにはめ込む。
長尺のポリ袋の底に液体吸収剤等を入れて該長尺のポリ袋をテーパー型筒Ａ内に押し入れて収めた、小用簡易トイレである。
また、テーパー型筒Ａ及びテーパー型筒Ｂの上面を曲面とし、体にフィットするような形にすれば女性にも使いやすい。
【考案の効果】
【０００５】  本考案は、上端に縁枠を設けた二つのテーパー型筒を重ねて、その間に長尺のポリ袋を挟み込んだような形で、テーパー型筒内に長尺のポリ袋を押入れてあるので、使用するときはテーパー型筒Ａ内の長尺のポリ袋の結び目をつまんでポリ袋引き出すだけで、簡単に用を足すことができる。
また、容積が小さいのでカバンの隅にも収まり、災害時や緊急時にどこにでも手軽に持ち歩いて使用できる。
【図面の簡単な説明】
【０００６】
【図１】本考案の分解斜視図
【図２】本考案を組み立てた状態の斜視図
【図３】本考案の実施例を示す図
【考案を実施するための形態】
【０００７】  本考案の実施の形態を図１及び図２により説明する。
上端に縁枠（２ａ）を設けたテーパー型筒Ａ（２）に、長尺のポリ袋（４）の上部を内側から通して、その上端部を該テーパー型筒Ａ（２）の底に達する位まで外側に折り返す。長尺のポリ袋（４）の底部に結び目（４ａ）を設ける。これは、底抜けを防止するためと引き出し時の手掛かりとするためである。
次に、上端に縁枠（３ａ）を設けたテーパー型筒Ｂ（３）を、上記長尺のポリ袋（４）をテーパー型筒Ｂ（３）の内側から通してテーパー型筒Ａ（２）にはめ込む。
長尺のポリ袋（４）の底に液体吸収剤等（５）を入れて該長尺のポリ袋（４）をテーパー型筒Ａ（２）内に押し入れて収める。液体吸収剤等というのは、液体吸収剤の他に消臭剤や芳香剤等を入れることが考えられるからである。
テーパー型筒Ａ（２）とテーパー型筒Ｂ（３）との間に長尺のポリ袋（４）を挟み込んで重ねると、長尺のポリ袋（４）はしっかり固定されて落ちる心配がない。
本考案は以上の構成よりなっている。
【０００８】  テーパー型筒Ａ（２）及びテーパー型筒Ｂ（３）の断面形状は、円形、楕円形、正方形、長方形、六角形その他の多角形等いろいろの形が考えられるが、円形又は楕円形とすることが好ましいと考えられる。また、テーパー型筒Ａ（２）及びテーパー型筒Ｂ（３）の上端に縁枠を設けると、強度や持ちやすさの点から望ましいと考えられる。
テーパー型筒Ａ（２）及びテーパー型筒Ｂ（３）の材質は、紙、プラスチック、アルミその他の金属等が考えられるが、紙製がコストや使いやすさの面から望ましいと考えられる。
【実施例】
【０００９】  請求項２による実施例を図３に示す。
本実施例は、上端に縁枠（２ａ）を設けたテーパー型筒Ａ（２）及び同じく上端に縁枠（３ａ）を設けたテーパー型筒Ｂ（３）の上端を曲面にして体にフィットするような形にしたものである。
上記のような形にすれば、女性も違和感なく使用できる。【００１０】  本考案の小用簡易トイレ（１）を使用するときは、テーパー型筒Ａ（２）の中に押し入れてある長尺のポリ袋（４）の結び目（４ａ）をつまんで長尺のポリ袋（４）を引き出して伸ばし、用を足す。
使用後は、テーパー型筒Ａ（２）及びテーパー型筒Ｂ（３）から長尺のポリ袋（４）を外し、該長尺のポリ袋（４）の上部を液体がこぼれないように結んで処分する。長尺のポリ袋（４）の底には液体吸収剤等（５）を入れてあるので、尿はそれに吸収されて処理しやすくなる。
【符号の説明】
【００１１】１  本考案の小用簡易トイレ
２  テーパー型筒Ａ
２ａ縁枠
３  テーパー型筒Ｂ
３ａ縁枠
４  長尺のポリ袋
４ａ結び目
５  液体吸収剤等
【図１】
0003159123.tif 000003
【図２】
0003159123.tif 000004
【図３】
0003159123.tif 000005
【手続補正書】
【提出日】平成22年2月15日(2010.2.15)
【手続補正１】
【補正対象書類名】実用新案登録請求の範囲
【補正対象項目名】請求項１
【補正方法】変更
【補正の内容】
【請求項１】
上端に縁枠を設けたテーパー型筒Ａに、底に結び目をつくった長尺のポリ袋の上部を内側から通して、その上端部を該テーパー型筒Ａの底に達する位まで外側に折り返し、別途上端に縁枠を設けたテーパー型筒Ｂを、上記長尺のポリ袋をその内側から通してテーパー型筒Ａにはめ込み、長尺のポリ袋の底に液体吸収剤を入れて該長尺のポリ袋をテーパー型筒Ａ内に押入れて収めた、小用簡易トイレ。
(57)【要約】      （修正有）【課題】角質部を柔らかくし、軽石の摩擦力を軽減することができるソフトな軽石を提供する。【解決手段】アルファヒドロキシ酸を表面及び軽石体中に含有させた軽石により、アルファヒドロキシ酸は皮膚の角質部の結合力を弱める作用をするので、摩擦力を軽減したソフトな軽石を提供でき、皮膚を傷つけるのを軽減することができる。【選択図】図１
0003159125.tif 000002
【実用新案登録請求の範囲】
【請求項１】
ポリウレタン等の硬質発泡材料を成型して作る軽石体に、アルファヒドロキシ酸を表面及び軽石体中に含有させた、かかとすり用軽石
【考案の詳細な説明】
【技術分野】
【０００１】この考案は足のかかと等の角質化した皮膚をなめらかにするためのかかとすり用軽石に関する。
【背景技術】
【０００２】従来、足のかかと等の角質化した皮膚をなめらかにするために天然の軽石やポリウレタン等の硬質発泡材料を成型した軽石が広く使用されていた。
【考案の開示】
【考案が解決しようとする課題】
【０００３】従来の軽石はやすりのようなザラザラした部分で足のかかと等の角質化した皮膚を力で削りおとしていた。このため、軽石は堅く、それによって皮膚を傷つけてしまうことがあった。
【課題を解決するための手段】
【０００４】ポリウレタン等の硬質発泡材料を成形して作る軽石体にアルファヒドロキシ酸を表面及び軽石体中に含有させる。
【考案の効果】
【０００５】アルファヒドロキシ酸は皮膚の角質部の結合力を弱める作用があるので、本考案の軽石が角質部を柔らかくするので、軽石の摩擦力を軽減することができ、ソフトな軽石を提供でき、それにより、皮膚を傷つけるのを軽減することができる。
【実施例】
【０００６】［図１］のように、ポリウレタンの硬質発泡材料にアルファヒドロキシ酸を表面及び軽石体中に含有させて、かかとすり軽石を作る。
【産業上の利用可能性】
【０００７】アルファヒドロキシ酸が角質をやわらかくするので、皮膚を傷つけにくいソフトな軽石を提供することができる。
【図面の簡単な説明】
【０００８】
【図１】アルファヒドロキシ酸を含有する硬質ポリウレタン製かかとすり用軽石
【図１】
0003159125.tif 000003
【手続補正書】
【提出日】平成22年2月11日(2010.2.11)
【手続補正１】
【補正対象書類名】実用新案登録請求の範囲
【補正対象項目名】全文
【補正方法】変更
【補正の内容】
【実用新案登録請求の範囲】
【請求項１】
硬質発泡材料であるポリウレタンを成型して作る軽石体に、アルファヒドロキシ酸を表面及び軽石体中に含有させた、かかとすり用軽石
(57)【要約】      （修正有）【課題】衛生的に再利用することができる飲料水容器と中袋を提供する。【解決手段】中袋は、口部分を厚くし、水漏れパッキンの形状を有する。飲料水容器に、中袋を挿入し、容器口とキャップの間に挟み込んで使用する。【選択図】図１
0003159128.tif 000002
【実用新案登録請求の範囲】
【請求項１】
再利用を目的とする飲料水容器に使い捨ての伸縮又は伸縮しない素材の中袋を挿入し、容器口の部分に挟み込み固定して使用する。
【請求項２】
中袋の口に必要充分な厚みを持たせ、水漏れ防止パッキンとする。
【考案の詳細な説明】
【技術分野】
【０００１】  本考案は飲料水供給用ウォーターサーバーに給水する、再利用を目的とした飲料水容器に中袋を挿入するものである。
【背景技術】
【０００２】  再利用を目的とした飲料水容器においては、従来再利用時、飲料水を充填する前に洗浄、殺菌等を実施のうえ飲料水を容器内に直接充填、再利用していたが洗浄、殺菌効果が充分ではない。又、容器材質に由来する環境ホルモンにおいての発癌性が懸念されている。【０００３】  現行使用されている容器キャップに付属、装着されている水漏れ防止用パッキンは、容器キャップと別体の樹脂製品である。
【考案の開示】
【考案が解決しようとする課題】
【０００４】  再利用を目的とした飲料水容器を再利用する際に実施する、洗浄、殺菌は一般細菌に対しては効果が実証されているが、カビ等の菌糸属に対しては効果が認めらない。又、容器材質がポリカーボネート樹脂の飲料水容器が大多数の為、ガラス容器に使用されているカビ等に有効な薬品が使用できない。
その為、一度カビ等に汚染された容器は再利用されず廃棄されている。
さらに、ポリカーボネート樹脂においては発癌性の環境ホルモンが含有されている事も懸念されており、将来、日本国内において使用されている２００万本を超える同型容器は廃棄処分とされる可能性が大きく、大量の産業廃棄物の産出が予想される。
中袋を挿入使用する事により、前述の問題点を解決しようとするものである。【０００５】  中袋の口部分に水漏れ防止パッキンの効果を持たす事により、現行使用されている容器キャップの水漏れ防止パッキンが不用となり、容器キャップの製品原価を低減させるものである。
【課題を解決するための手段】
【０００６】  本考案は、現行流通使用されている８リットルから２０リットル程度の再利用を目的とした飲料水容器に同容量の中袋を挿入し、その中袋に飲料水を充填する事により飲料水と容器の直接の接触を避ける事が出来、問題点を解決している。【０００７】  上述のように中袋を挿入する際、容器の口部分に中袋口部分を容器キャップとの間に挟み込み装着する。中袋口部分に必要な厚み、硬度を持たす事により水漏れ防止パッキンの効果が現れ、中袋と一体化された水漏れ防止パッキンとなり、容器キャップの製品原価低減の効果が現れる。
【考案の効果】
【０００８】  上述の用に、本考案の再利用を目的とした飲料水容器の中袋は、充填された飲料水と容器の直接の接触を避ける事が出来、確実にカビ、環境ホルモン等の汚染物質からの隔離が可能となり、将来予想される容器材質が溶出する事による環境ホルモンの悪影響に起因する現行容器の大量廃棄も防止出来る。又、飲料水消費後に回収された飲料水容器に付帯する使用済み中袋は廃棄処分とされるが、その質量は極少量であり、産業廃棄物として環境に与える影響は少ない。【０００９】  中袋の口部分に必要な硬度を持たせる事により、現行使用されている容器キャップに付属のパッキンと同等の効果が発生する事により、現行のパッキンが不要となり、新たに中袋を使用する際に発生する費用の低減となる。【００１０】  従来発生していた容器破損による水漏れ事故の防止効果も現れる。
【考案を実施するための最良の形態】
【００１１】  中袋の材質は飲料水と直接接触する事から食品衛生法に準拠し飲料水の品質に影響を与えない材質とする。又、消費後に廃棄される事から可能な限り薄いものとする。中袋容量は、使用する容器の容量と同一とし材質の伸縮については、特にこだわらない。中袋口部分については、同じく使用する容器の口部分寸法と合わせ、必要な厚み、硬度を持たせた円形とする。
【実施例】
【００１２】  以下、添付図面に添って一実施例を説明する。中袋１の材質は食品衛生法に準拠したなるべく薄い素材とし、伸縮度合いについては特にこだわらない。中袋口部分２については中袋成型時に厚み、硬度を持たせる加工とする。又、中袋口部分の外周寸法は容器の口部分３に挿入出来る寸法とする。【００１３】  中袋１は、飲料水充填前に容器口部分３に装着し、中袋１内に飲料水充填される事により容器４内部に膨らみ、使用される。【００１４】  中袋に飲料水充填後、容器キャップ５により密封され、その際、中袋口部分２において水漏れ防止パッキンの効果が現れる。
【図面の簡単な説明】
【００１５】
【図１】本考案の全体断面図
【図２】容器、中袋の口部分拡大断面図
【符号の説明】
【００１６】１  中袋
２  中袋口部分
３  容器口部分
４  容器
５  容器キャップ
【図１】
0003159128.tif 000003
【図２】
0003159128.tif 000004
【手続補正書】
【提出日】平成22年2月16日(2010.2.16)
【手続補正１】
【補正対象書類名】実用新案登録請求の範囲
【補正対象項目名】全文
【補正方法】変更
【補正の内容】
【実用新案登録請求の範囲】
【請求項１】
再利用を目的とする飲料水容器に、使い捨ての口の部分を厚くした中袋を挿入し、容器口とキャップの間に挟み込んで使用する、中袋を挿入する再利用を目的とした飲料水容器。
【請求項２】
中袋の口部分を厚くし、水漏れパッキンの形状を有する、再利用を目的とした飲料水容器に挿入する中袋。
(57)【要約】      （修正有）【課題】寝たきり老人又は病人の体の冷えを解消し、診察時等に恥ずかしい思いをせずにすみ、また、楽におむつ交換ができる下着を提供する。【解決手段】パンツのウエストにゴムやダーツがなく、股上部の前身頃と後身頃の側面が胸部まで伸びた形状の腹掛けと後身頃は尻部から背中にかけてほぼＵ字状に大きくカットされた形状の尻ぬきパンツとが一連のつなぎとなる。【選択図】図３
0003159145.tif 000002
【実用新案登録請求の範囲】
【請求項１】
寝たきり老人又は病人１が寝まきの下に付ける下着で、装着がきわめ  て簡単な上、パンツと腹掛けがつながった形状（図３）をなし、暖かくてしめつけ感のないパンツ。
【請求項２】
ウエストやゴムがなく尻部は背中にかけてほぼＵ字状のラインでカット３され（図３）、反対に股上部４（前身頃と側面の後身頃）は胸部まで伸びて赤ちゃんの腹掛けの状態５となるパンツ。
【請求項３】
胸部まで伸びた腹掛け部位５を足の方にめくり返すだけ（図２）でお  むつ６交換や受診が可能となるパンツ。
【請求項４】
往診やリハビリ時に寝まきの前がはだけても、医師や理学療法士におむつ姿を見せることなく臨むことができるパンツ。
【請求項５】
一旦装着すると脱げにくく、往診やリハビリ時にも、膝関節部、足部、腹部を冷やさないパンツ。
【請求項６】
尻部カット３でおむつ６内が蒸れないパンツ。
【考案の詳細な説明】
【技術分野】
【０００１】
本考案は、寝たきり老人又は病人の体の冷えやおむつ内の蒸れを防ぐため、また、介
護者が、必要かつ十分な労力でおむつ交換が可能となるよう考案した介護用下着に関す
るものである。
【背景技術】
【０００２】
従来、体の冷えを防ぐため、市販のバッチを下着として付けていることが多いが、こ
れは体の冷えの問題が解消されても蒸れの解消には至らず、その上おむつ交換には多大
な労力が必要となる。
【０００３】
逆に、おむつ交換の便宜上、おむつの上に寝まき一枚であると、冷えは解消されず診
察やリハビリ時には、おむつ姿が露出して患者や医師に恥ずかしい思いをさせてしまう。  
【先行技術文献】
【特許文献】
【０００４】
【特許文献１】特開平１０−２１６１６５
【特許文献２】実開平６−２２３１７
【考案の概要】
【考案が解決しようとする課題】
【０００５】
従来、寝たきり老人又は病人は、おむつ交換の便宜上、概ね和風の寝まきを付けている。しかし、おむつの上に寝まき一枚では、腹や膝関節部・足部等に冷えを感じることが多
い。
【０００６】
また、冷えの解消のため市販のバッチを履かせているが、おむつの交換時になると、
重い尻に敷き込まれたバッチの後部を、ひき下げたり、引き上げたりしなければならな
い。この動作は、介護者にとっても被介護者にとっても、多大なエネルギーが要求され
る。
【０００７】
特に、リハビリテーションは手よりも足に施されることが多い。もし、この下着がな
ければ理学療法士は、おむつから出ている患者の素足を素手で持ち、治療に携わらなけ
ればならない。また、寝まきの上前や下前で足をつかみ治療にあたると、足の上下運動
が不可能となり治療の範囲も狭められる。
【０００８】
診察時やリハビリ時には、もろにおむつ姿が露出して恥ずかしい思いをすることも
多い。
【課題を解決するための手段】
【０００９】
寝まきの下着として本考案の腹掛け介護パンツ２を装着すると冷えの問題が解消され
る。（図１）
【００１０】
本考案の下着２を装着すると、尻部と背中部が大きくカット３されているため、腹掛
け部分５を足の方にめくり返すだけで、おむつ６交換が可能となる。
【００１１】
往診時も腹掛け部分５を少しめくり返すだけで胸部と腹部の診察が可能となる。
（図２）
【００１２】
往診時やリハビリ時に、たとえ寝まきの前がはだかっても、もろにおむつ姿を見られ
ることがないため、医師も患者も気まずい思いをしなくても済む上、体温の冷え対策に
も対応できる。
【００１３】
いずれにしても、この下着２を装着することにより、リハビリ時におけるすべての諸
問題が解決できる。
【００１４】
寝たきり状態の老人又は病人１は寝返りも少ないので、この下着を一旦装着すると両
足の重みで脱げにくく、ゴムが無くても装着した状態を長時間保つことができる。また、
たとえ寝返っても腹掛け部５にゆとりがあるため横向きになった胴に掛けることが可能
である。
【００１５】
尻部背中部がカット３されているため、おむつ６の中が蒸れないので、じょくそうな
どができにくく快適に過ごすことができる。
【考案の効果】
【００１６】
寝たきり老人又は病人の介護にあたっては、体温の冷えの問題や羞恥心の問題、介護
労力の軽減等、諸般の不都合に対して、唯、不都合のまま患者も家族も改善の方法や方
策が見いだせない内に、疲労の中で万事を終えることが多いが、この下着を装着するこ
とにより、すべての問題が解消され、患者も家族も余裕をもって向き合うことが可能と
なる。
【考案を実施するための形態】
【００１７】
寝たきり老人又は病人１が和風の寝まきの前を開け、あおむけになった状態の上へ腹
掛け介護パンツ２の前身頃を上にして（図３）、右足にパンツ２の右側を、左足にパン
ツ２の左側を履かせる。尻ぬき部分３がおむつ６の所で定まるようにして、腹掛け部５を胸・腹部７に掛ける。腹掛け介護パンツ２が装着できれば図１寝まきの前を閉じる。
【００１８】
おむつ６交換時（図２）は、寝まきの前を開け、腹掛け部５を足の方いっぱいにめく
り返す（図２）と、おむつ６が露出してくるので交換が可能となる。おむつ６交換が済
めば元のように掛けなおせば良い（図１）。診察時は腹掛け部５を少しめくり返すだけで
、胸・腹部７が露出するのでおむつ６姿を見せなくても診察が可能となる。リハビリ時は
寝まきの前を開け、腹掛け介護パンツ２を装着したままの姿（図１）で受けられる。理
学療法士におむつ６姿を見せることなく、また、胸・腹部７を冷やすことなく受けられる。
【図面の簡単な説明】
【００１９】
【図１】寝たきり老人又は病人が腹掛け介護パンツを装着した斜視図である。
【図２】腹かけ介護パンツを装着して、おむつ交換及び診察を受ける時の斜視図で          ある。
【図３】腹掛け介護パンツの平面図である。
【符号の説明】
【００２０】
１  寝たきり老人又は病人
２  腹掛け介護パンツ
３  尻部背中部のカットライン
４  前身頃と側面部の後身頃
５  腹掛け部分
６  おむつ
７  胸・腹部
【図１】
0003159145.tif 000003
【図２】
0003159145.tif 000004
【図３】
0003159145.tif 000005
【手続補正書】
【提出日】平成22年2月19日(2010.2.19)
【手続補正１】
【補正対象書類名】実用新案登録請求の範囲
【補正対象項目名】全文
【補正方法】変更
【補正の内容】
【実用新案登録請求の範囲】
【請求項１】
パンツのウエストにゴムやダーツがなく、股上部の前身頃と後身頃の側面４が胸部まで伸びた形状の腹掛け５と後身頃は尻部から背中にかけてほぼＵ字状に大きくカットされた形状３の尻ぬきパンツとが一連のつなぎとなる構造の下着。
(57)【要約】      （修正有）【課題】屋内の場所を選ばず何処にでも置け、清潔感があり美観が長期にわたって損なわれず、管理が簡便な観葉植物を提供する。【解決手段】植物体１は育苗の段階からハイドロカルチャーに由って水耕栽培された水耕性植物である。透明容器２は、直径若しくは一辺Ｗの２〜４倍の高さＨを有する細長い透明な容器で、ガラスやアクリル樹脂等で成る。その形状は角柱形と円柱形だけに止まらずラッパ形、壷形、シャンパングラス形など様々な形態に変化を与え、植物体の観賞価値に多大な付加価値と成す。【選択図】図１
0003159168.tif 000002
【実用新案登録請求の範囲】
【請求項１】
直径若しくは一辺の２〜４倍の高さを有する細長い透明な容器の中に、植物体とそれを支える培地材と共に植え込んだことを特徴とする観葉植物。
【請求項２】
容器の形状は角柱形をなしていることを特徴とする請求項１記載の観葉植物。
【請求項３】
容器の形状は円柱形をなしていることを特徴とする請求項１記載の観葉植物。
【請求項４】
容器の形状はラッパ形、壷形、シャンパングラス形等をなしていることを特徴とする請求項１記載の観葉植物。
【請求項５】
ハイドロカルチャーに由って水耕栽培された植物体が栽培容器の儘、植え込んであることを特徴とする請求項１、２、３、４記載の観葉植物。
【考案の詳細な説明】
【技術分野】
【０００１】
本考案は、水耕性の植物体を円柱形や角柱形を成した透明な容器に収容した観葉植物に関する物である。
【背景技術】
【０００２】
培養土の代わりに、ハイドロボールと称される無機質の発泡煉石に植物を植え込み、養液で植物体を栽培する礫耕栽培がハイドロカルチャーと称され知られるようになった。関連技術は下記の特許文献１に記載されている。
【先行技術文献】
【特許文献】
【０００３】
【特許文献１】特開２００６−２８８３７４号公報
【考案の概要】
【考案が解決しようとする課題】
【０００４】
従来に於ける観葉植物や鉢花等は、専ら培養土で鉢植えされたものであって、玄関で履物を脱ぐ習慣の日本では、室内に土を持ち込むのに抵抗感がある、況してキッチンや食卓に於いては猶更である。
【０００５】
本考案は、上記した従来の問題点に鑑みてなされたものであって、清潔感があり美観が長期にわたって損なわれず、管理が簡便な観葉植物の提供を目的とする。
【課題を解決するための手段】
【０００６】
上記目的を達成する為に、本考案に係る観葉植物は育苗の段階から養液で水耕栽培された、水耕性植物である。
【０００７】
上記の苗はハイドロボールを培地材として栽培容器に植え込み、前述のハイドロカルチャーに由って水耕栽培された水耕性植物である。
【０００８】
本考案に用いる植物体としては、水耕栽培可能な植物体であれば特に限定されないが、透明な細長容器の中に植え込んで使用する特性から、横に広がる物より細長い形状の物がより好ましい。係るものとして蔓性のハツユキカズラ、ミューレンベキア、プミラ等、細長い形状のヒメマサキ、ペリタンサス、アコルス等が挙げられる。
【０００９】
本考案に用いる透明容器は、直径若しくは一辺の２〜４倍の高さを有する細長い透明な容器で、ガラスやアクリル樹脂等で成る。その形状は角柱形と円柱形だけに止まらずラッパ形、壷形、シャンパングラス形などが利用可能である。
【考案の効果】
【００１０】
本考案は以上の通り、水抜き穴の無いガラス容器等に植物体を植え込むものであるが、植物体がハイドロカルチャーに由って水耕栽培された水耕性植物であることが容易成らしめる効果がある。
【００１１】
また、植物全体を容器の中に入れることによって、植物自身の光合成により蒸散を適度に抑制し湿度を良好に保持することができ、水遣りの手間を軽減できる。
【００１２】
更に、本考案に係る観葉植物に由れば、ガラス等の透明容器を通して観る事になり、看者には美観を際立たせる効果がある。
【考案を実施するための形態】
【００１３】
本考案の最良の実施形態を図面に基づいて説明する。尚、以下に述べる実施形態は本考案を具体化した一例に過ぎず、本考案の技術的範囲を限定するものではない。（図１）は本考案の一実施形態に係る、角柱形透明容器２による植物体１の外観図、（図２）は円柱形透明容器２′による植物体１′の透視図で、栽培用内容器４の儘、培地材（ハイドロボール）３に由って植え込まれている状態を示す。
【００１４】
本考案に用いる透明容器は、直径若しくは一辺Ｗの２〜４倍の高さＨを有する細長い透明な容器２、２′で、ガラスやアクリル樹脂等で成る。その形状は角柱形（図１）と円柱形（図２）だけに止まらずラッパ形（図３）、壷形（図４）（図５）、シャンパングラス形（図６）など様々な形態に変化を与え、植物体１、１′の観賞価値に多大な付加価値と成す。
【産業上の利用可能性】
【００１５】
透明容器の中に植物体全てを収めると云う従来に無い形態であり、尚且つ、水漏れが無く無機質の培地体で清潔であることから、食卓やデスク上など飾る場所が広がる。他方、園芸専用の売り場を必要としないことから、他業種（インテリア雑貨やファンシー雑貨）でも商材と成りうる。
【図面の簡単な説明】
【００１６】
【図１】一実施形態に係る観葉植物の外観図である。
【図２】一実施形態に係る観葉植物の透視図である。
【図３】ラッパ形透明容器のイメージ図である。
【図４】壷形透明容器のイメージ図である。
【図５】壷形透明容器のイメージ図である。
【図６】シャンパングラス形透明容器のイメージ図である。
【符号の説明】
【００１７】
１，１′植物体
２，２′透明容器
３      培地材（ハイドロボール）
４      栽培用内容器
【図１】
0003159168.tif 000003
【図２】
0003159168.tif 000004
【図３】
0003159168.tif 000005
【図４】
0003159168.tif 000006
【図５】
0003159168.tif 000007
【図６】
0003159168.tif 000008
【手続補正書】
【提出日】平成22年3月1日(2010.3.1)
【手続補正１】
【補正対象書類名】実用新案登録請求の範囲
【補正対象項目名】全文
【補正方法】変更
【補正の内容】
【実用新案登録請求の範囲】
【請求項１】
直径若しくは一辺の２〜４倍の高さを有する細長い透明な容器の中に、植物体とそれを支える培地材と共に植え込んだことを特徴とする観葉植物。
【請求項２】
容器の形状は角柱形をなしていることを特徴とする請求項１記載の観葉植物。
【請求項３】
容器の形状は円柱形をなしていることを特徴とする請求項１記載の観葉植物。
【請求項４】
容器の形状はラッパ形、壷形、シャンパングラス形をなしていることを特徴とする請求項１記載の観葉植物。
【請求項５】
ハイドロカルチャーに由って水耕栽培された植物体が栽培容器の儘、植え込んであることを特徴とする請求項１〜４のいずれか１項に記載の観葉植物。
(57)【要約】      （修正有）【課題】昇降運動を行う際に用いる健康踏み台において、上がり下がり運動以外に足筋効果と、より高負荷の運動効果を得ることが可能な健康踏み台を提供する。【解決手段】健康踏み台１は、左右の垂直状の足部２と、この両足部２の間に上面板３が架け渡され、大略断面コ字形状とする。上記足部２の上面を、２／１０勾配乃至４／１０勾配の傾斜面となし、この傾斜面上に上記上面板３を取り付け、健康踏み台１の上面が２／１０勾配乃至４／１０勾配の下がり勾配とする。使用に当たっては、健康踏み台１上に昇り下がりの運動するが、健康踏み台１の上面が低い側を手前にして昇り下がり運動を行う。この際、健康踏み台１の上面板３上に乗った時に、足が上面板３の２／１０勾配乃至４／１０勾配の傾斜面によって斜めになるので、ほどよい負荷を上乗せすると共に、足筋が延ばされアキレス腱を伸ばす効果を与える。【選択図】図１
0003159165.tif 000002
【実用新案登録請求の範囲】
【請求項１】
昇降運動を行う際に用いる健康踏み台において、上面板に２／１０勾配乃至４／１０勾配の傾斜面としたことを特徴とする健康踏み台。
【考案の詳細な説明】
【技術分野】
【０００１】
本考案は、家庭で簡単に行なえる健康踏み台に関するものである。
【背景技術】
【０００２】
家庭や学校でも簡単に使用できるトレーニングとして昇降運動が知られている。この昇降運動を行うに当たっては、箱形の台が一般に用いられている。
【考案の概要】
【考案が解決しようとする課題】
【０００３】
しかしながら、従来の箱形の台を用いて昇降運動を行う場合には、上がり下がり運動のみであるため、運動負荷が少なく、運動効果を十分得ようとすると長時間行わなければならなかった。
【課題を解決するための手段】
【０００４】
本考案は、昇降運動を行う際に用いる健康踏み台において、上面板に２／１０勾配乃至４／１０勾配の傾斜面とすることを最も主要な特徴とする。
【考案の効果】
【０００５】
本考案の健康踏み台は、昇降運動と同時に、健康踏み台に乗った際に足筋伸ばし効果と、使用者により負荷を与え短時間で運動効果を得られるという利点がある。
【図面の簡単な説明】
【０００６】
【図１】図１は本考案の健康踏み台の斜視図である。
【図２】図２は本考案の健康踏み台の側面図である。
【図３】図３は本考案の健康踏み台の正面図である。
【図４】図４は本考案の健康踏み台の使用時を示す図である。
【考案を実施するための形態】
【０００７】
以下図を用いて本考案の健康踏み台を詳細に説明する。
【０００８】
健康踏み台１は、図１及び図３に示すように左右の垂直状の足部２と、この両足部２の間に上面板３が架け渡され、大略断面コ字形状としている。
上記足部２の上面を、図２に示すように２／１０勾配乃至４／１０勾配の傾斜面となし、この傾斜面上に上記上面板３を取り付け、健康踏み台１の上面が２／１０勾配乃至４／１０勾配の下がり勾配としている。
【０００９】
次ぎにその使用時について説明する。
図４に示すように健康踏み台１上に昇り下がり運動するが、健康踏み台１の上面が低い側を手前にして昇り下がり運動を行う。この際、健康踏み台１の上面板３上に乗った時に、足が上面板３の２／１０勾配乃至４／１０勾配の傾斜面によって斜めになるので、ほどよい負荷を上乗せすると共に、足筋が延ばされアキレス腱を伸ばす効果を与える。これによって、負荷も大きく運動効果も高まるので、平面上に昇降運動した場合に対し少ない時間で同等の運動効果を得ることができる。
【００１０】
なお、上記健康踏み台１は、木ネジ以外のもの全て木材とすることで、間伐材あるいは、従来の住宅資材用木材として使用できない余った木材を利用することで、国内の森林資源の有効利用が促進できる。
【符号の説明】
【００１１】
１    健康踏み台
２    足部
３    上面板
【図１】
0003159165.tif 000003
【図２】
0003159165.tif 000004
【図３】
0003159165.tif 000005
【図４】
0003159165.tif 000006
【手続補正書】
【提出日】平成22年3月3日(2010.3.3)
【手続補正１】
【補正対象書類名】実用新案登録請求の範囲
【補正対象項目名】全文
【補正方法】変更
【補正の内容】
【実用新案登録請求の範囲】
【請求項１】
昇降運動を行う際に用いる健康踏み台において、上面板を２／１０勾配乃至４／１０勾
配の傾斜面としたことを特徴とする健康踏み台。
(57)【要約】      （修正有）【課題】認知症の予防や改善のための回想療法を円滑に行うことができる補助用具となるディスプレイを提供する。【解決手段】本体は、外周を枠で補強したパネルから成り、パネル表面に動物と植物の絵を描き、パネル下部には土台を兼ねる音響ボックスを具備させる。音響ボックス内部には描かれた動物の鳴き声を収録した電子回路とそれに接続されたスピーカー及び芳香剤入れと送風ファンを内装させ、且つ外側上面には鳴き声に対応させたスイッチを装備させ、後部には設置用の折りたたみ自在のフレーム及び又はつい立を有する。【選択図】図１
0003159167.tif 000002
【実用新案登録請求の範囲】
【請求項１】
本体は、外周を枠で補強したパネルから成り、該パネル表面に鳴き声の顕著な犬、猫、牛などの動物とヒマワリ、アジサイ、チューリップなどの植物の絵をイラストで適宜描き、該パネル下部には土台を兼ねる音響ボックスを具備させ、該音響ボックス内部には描かれた動物の鳴き声を収録した電子回路とそれに接続されたスピーカー及び芳香剤入れと送風ファンを内装させ、且つ外側上面には鳴き声に対応させたスイッチを装備させ、後部には設置用の折りたたみ自在のフレーム及び又はつい立を有する回想療法用ディスプレイ。
【考案の詳細な説明】
【技術分野】
【０００１】  本考案は、認知症の予防や改善を目的とする回想療法用のディスプレイに関するものである。
【背景技術】
【０００２】従来、認知症の予防や改善を目的とした回想療法を行う事が少なかった。
【考案が解決しようとする課題】
【０００３】  以前より、認知症の予防や改善に回想療法が良い事は知られていたが、具体的方法としては、車座になって各自が昔の話しを行うなど、殆ど歓談会に近いものであった。その理由の一つとして、用具類が殆ど無かった為である。
【課題を解決するための手段】
【０００４】  本考案では、共通の話題となる誰もが一目で分かる花、動物などを一枚の絵として描いたディスプレイとなっている。
【考案の効果】
【０００５】  本考案を用具として用いる事で、描かれている動植物の絵を題材に種々の会話を通じて回想療法を円滑に行えるようにしてある。
【０００６】  加えて、本考案では動物に該当する鳴き声も出せるようにしてあり、視覚と聴覚に刺激を与える事で、余計な雑談などの防止にも効果がある。
【図面の簡単な説明】
【０００７】
【図１】本考案の平面図。
【図２】本考案を設置した場合の音響ボックス部分の斜視図であってパネル部分は一部を削除してある。
【考案を実施するための形態】
【０００８】  本体ディスプレイは、長方形のパネル１となっており、外周は装飾を兼ねる枠２で補強してある。尚、本考案の態様例としてディスプレイを背面から光を当てるようにしたものもある。
【０００９】  パネル１の表面は、動植物の絵が分かりやすいイラストで適宜描いてあり、図１は本考案の一例を示してある。
【００１０】  動植物の絵としては、誰でもが一目見ただけで識別できるように、あえて実写ではなく簡略化して、特徴を表現させたイラストで描き、一枚の景色の中に適宜ちりばめてある。本考案の例では、動物としては鳴き声の顕著な犬、猫、牛、カラス、ニワトリ、鶯を描き、植物としては、梅、ひまわり、バラ、アジサイ、チューリップを描いてある。
【００１１】  該パネル１は、下部に土台を兼ねる音響ボックス３を具備させてあり、該音響ボックス３には前面に網を張った窓４を設け、内部には鳴き声を収録した電子回路とそれに接続されたスピーカーを具備させてある。
又、前記動物の鳴き声を任意に選んで鳴き声を出せるようにしたスイッチ５を該音響ボックス３の上面に具備させてある。本例では動物の数分、６個を並べて装備させてある。
【００１２】  又、音響ボックス３は、利用者の精神を落ち着かせリラックスさせる香りを前面より放出させる為に、芳香剤入れと送風ファンを内臓具備させてある。尚、芳香は窓４より送風ファンにより放出される。
【００１３】  尚、各図では、音響ボックス３に係わる電源コード、ボリューム、内部の電子基盤、送風ファン等は製造上で種々の態様例があり、本考案の従たる要素であるため省略してある。
【００１４】  ディスプレイは後ろに少し傾けた状態で設置させる為に、音響ボックス３の背面下部に折りたたみ自在のコの字型（Ｍ字方、Ｕ字型でも良い）フレーム４を具備させてある。
又、ディスプレイ背面につい立として折りたたみ可能な支柱を装備させる態様例もあり、両方を装備させたものもある。本例では、１種類を用いた例としてある。
【実施例】
【００１５】  本考案の使い方としては、利用者を本ディスプレイの画面の前に座らせて、芳香剤を適宜発生させて落ち着かせ、花や動物などの絵を見ながら、それにまつわる過去の楽しかった思い出話などを語ることで認知症の予防や改善効果を上げる回想療法の為に用いるものである。【００１６】  即ち、見る、聞く、話す等を繰り返し行う事で、利用者の言語能力を高める療法であり、トレーニング法ともなっている。
又、数人で、過去の思い出を談笑する事で、認知症防止に効果があることが知られており、そのような効果を挙げる為の補助用具として使用する。【００１７】  又、前面には、鳴声を聞かせる為のスピーカーを具備させてあるが、これは、高齢者の視力低下を補助するためで、鳴声から鳥や動物の名前を当てさせる、あるいは何処に居るか等、画面を見ながら指し示してもらうためである。【００１８】  このように本考案では静止画像と音声（動物の鳴き声）を併用してあり、認知症が始まる高齢者などの視力低下や思考力の低下などに対応させてある。【００１９】  本考案は、パネルと若干の電子部品を具備する音響ボックスからなっており、廉価にして簡便に移動や設置ができ、また、回想療法用としては、数少ない用具となっている。
【符号の説明】
【００２０】  １        パネル
２        枠
３        音響ボックス
４        窓
５        スイッチ
６        フレーム
【図１】
0003159167.tif 000003
【図２】
0003159167.tif 000004
(57)【要約】      （修正有）【課題】チチが片寄ることなく、広告機能を継続的に発揮できる幟装置を提供する。【解決手段】基台と、基台に直立するように支持されるポールと、ポールに挿通されると共に幟を支持する複数の縦用チチと、ポールの上端に挿通されたジョイント止めより水平方向に引き出された水平竿と、水平竿に挿通されると共に幟を支持する複数の横用チチと、縦用チチ間及び横用チチ間に挿通固定されたチチガードとを有する。【選択図】図１
0003159163.tif 000002
【実用新案登録請求の範囲】
【請求項１】
基台とこの基台に直立されるポ−ルとこのポ−ルに挿通されると共に幟を支持する複数のチチと前記ポ−ルの上端に挿通されたジョイント止めより水平方向に引き出された水平竿と挿通されると共に幟を支持する複数の横用チチと更に前記縦用チチ間及び横用チチ間であって前記ポ−ル及び水平竿の任意の位置に挿通固定されたチチガ−ドとで成した事を特徴とする幟装置。
【考案の詳細な説明】
【技術分野】
【０００１】
本考案は、広告文字・図柄等を表示する幟を所謂複数のチチにてポ−ルと水平竿に支持する幟装置に関する。
【背景技術】
【０００２】
一般的に幟は、その縦側縁を複数のチチを介してポ−ルに支持され、且つ、上側縁も同様に複数のチチにてポ−ルの上端に挿通されたジョイント止めより横方向に伸ばされた水平竿に夫々支持されている。ところでこの幟は、自然の風や手旗振りに際しポ−ルのチチが上方向きに、更に水平竿のチチがポ−ル側に夫々片寄る恐れがある。そこで従来は、上記不測の事態への対応として任意にチチを紐などでポ−ルや水平竿に一部を固定する形式で行っている。
【考案の開示】
【考案が解決しようとする課題】
【０００３】
本考案の目的は、幟・ミニ幟などが自然の風や手旗振りなどでポ−ルのチチが上の方向へ、更に水平竿のチチがポ−ル方向へ片寄ってしまうのを防ぐ為に任意に紐や針金などで ポ−ル や サオ に一部を固定する形式で使用されている状況である。しかし、時として幟の場合、強い風に吹かれるとポ−ルのチチが上方向きに、更に水平竿のチチがポ−ル側に夫々片寄って幟の内容が認識不能となり情報発信機能を発揮せず、ミニ幟の場合でも手旗振りした時同様の現象が起きる。この様な状況では、情報発信機能が低下してしまい広告媒体としては不向きである。
【課題を解決するための手段】
【０００４】
本考案は、基台とこの基台に直立されるポ−ルと、このポ−ルに挿通されると共に幟を支持する複数のチチと、前記ポ−ルの上端に挿通されたジョイント止めより水平方向に引き出された水平竿と挿通されると共に幟を支持する複数の横用チチと、更に前記縦用チチ間及び横用チチ間であって前記ポ−ル及び水平竿の任意の位置に挿通固定されたチチガ−ドとで成した事を特徴とするものである。
【考案の効果】
【０００５】
本考案は、これまでの幟やミニ幟などでポ−ルと水平竿にチチガ−ドを取り付ける事により風に吹かれても手旗振りされてもチチがジョイント止め方向に片寄る様な事も無く広告機能を継続的に発揮して情報発信に繋がる。
【図面の簡単な説明】
【０００６】
【図１】幟装置の正面図。
【実施例】
【０００７】
以下、本考案の一実施例について図面を参照して説明する。
図１は本考案一実施例幟の正面図を示し、 ポ−ル３の下端3a を基台1の中央に空いている差込孔2に差し込み、更にポ−ル3の上端3b にジョイント止め4を挿通し、ジョイント止め4の中を水平に開けられた孔5に水平竿6を挿通して固定させている。
又、水平竿６に通されたチチ9の先端部分のジョイント止め4寄りにチチガ−ド7を挿通して固定し、ポ−ル3に通されたチチ9の最下段の上にチチガ−ド7を挿通して固定して、幟8の幟装置を構成している。
【０００８】
而して、幟装置を例えば陸上競技応援の後、室内においてテ−ブルの上面、或いは飾り棚に飾って応援隊の思い出に耽ることにも利用できる。
【０００９】
幟装置は、屋外では風の力で動く広告媒体として利用され、室内での催し会場などでは人の動きによる空気の流れで動く広告媒体として利用される。
【００１０】
幟装置を小型化した所謂、ミニ幟装置場合は、スポ−ツの応援や歓迎の意思表示などに手旗振りで利用できると共に、基台1は諸々の働きを終えて室内に帰った時に、静止した状態で転倒しない程度の重さで良い。また、基台1を付けずに壁に直接掛けて室内の装飾としても利用することもできる。
【００１１】
基台1は、幟装置の場合自然の風の力により転倒しない様に重量を持たせて利用する。
【００１２】
幟装置の場合基台1は、諸々の働きを終えて室内に帰った時静止した状態で転倒しない程度の重さで良い。また、基台1を付けず壁に掛けて室内の装飾としても利用する。
【符号の説明】
【００１３】
1． 基台
2． 差込孔
3． ポ−ル
3a．ポ−ルの下端
3b．ポ−ルの上端
4． ジョイント止め
5． 孔
6． 水平竿 
7． チチガ−ド
8． 幟
9． チチ
10． チチ止め
【図１】
0003159163.tif 000003
【手続補正書】
【提出日】平成22年3月5日(2010.3.5)
【手続補正１】
【補正対象書類名】実用新案登録請求の範囲
【補正対象項目名】全文
【補正方法】変更
【補正の内容】
【実用新案登録請求の範囲】
【請求項１】
基台とこの基台に直立する様に支持されたポ−ルとこのポ−ルに挿通されると共に幟を支持する複数の縦用チチと前記ポ−ルの上端に挿通されたジョイント止めより水平方向に引き出された水平竿と前記水平竿に挿通されると共に幟を支持する複数の横用チチと前記縦用チチ間及び横用チチ間に挿通固定されたチチガ−ドとを有する事を特徴とする幟装置。
(57)【要約】      （修正有）【課題】紙パックは注ぎ口を容易に開口できるようにした紙パックを提供する。【解決手段】紙パック１の注ぎ口２の先に、舌状の撮み３を付ける。これにより、指先の大きい人や不器用な人でも、舌状の撮み３を引っ張ることで、注ぎ口２の開口が容易に出来る構造となる。【選択図】図２
0003159170.tif 000002
【実用新案登録請求の範囲】
【請求項１】
紙パックの注ぎ口の先に舌状の撮みを付け足した紙パック
【考案の詳細な説明】
【技術分野】
【０００１】  本考案は紙パックの注ぎ口に、開口用の舌状の撮みを付け足したものである。
【背景技術】
【０００２】  従来の紙パックは、注ぎ口の密閉用の糊が付着して無い部分の隙間に、指先を入れて引き開口をしてた。
【考案の開示】
【考案が解決しようとする課題】
【０００３】  開口を容易にする為、開口用の指先で撮める部分を設ける。
【課題を解決するための手段】
【０００４】  本考案は、注ぎ口に舌状の引き出し用の撮みを付け足し、開口時に撮む部分を設ける。
【考案の効果】
【０００５】  注ぎ口の先に舌状の撮みを付けた事に依り、指先の大きい人・不器用な人でも容易に開口が出来る。
【考案を実施するための最良の形態】
【０００６】  注ぎ口に、開口専用の指先で撮む事が出来る部分を設ける。
【図面の簡単な説明】
【０００７】
【図１】紙パック本体の展開図
【図２】注ぎ口部分の姿図
【図３】注ぎ口部分の詳細展開図
【図４】注ぎ口部分の断面図
【符号の説明】
【０００８】１  紙パック本体
２  注ぎ口
３  舌状撮み
４  折り曲げ部
【図１】
0003159170.tif 000003
【図２】
0003159170.tif 000004
【図３】
0003159170.tif 000005
【図４】
0003159170.tif 000006
(57)【要約】      （修正有）【課題】簡単に書類の下に敷くことの出来る押印マットを提供する。【解決手段】柄の付いたプラスチック又は金属又は木製の板に、ゴム又は硬質ウレタンゴム又はシリコンゴムなど、押印に適した素材を片面又は両面に貼り付ける。【選択図】図１
0003159161.tif 000002
【実用新案登録請求の範囲】
【請求項１】
プラスチック又は金属又は木製の板に、ゴムまたはシリコンゴム又は硬質ウレタンゴムなど、押印に適した素材を、片面又は両面に貼り合わせた、柄を付けた押印マット。
【考案の詳細な説明】
【技術分野】
【０００１】  日本の社会は、外国のようにサインではなく、契約書類や証明書など、どんな書類にも印鑑を押すことが必要である。本考案は、その印鑑を押すときに、何枚も重なった書類のときは、今の押印マットでは各書類に上手くマットを敷くことが難しいことが多い。それ故簡単にマットを移動できるように柄をつけた押印マットである。
【背景技術】
【０００２】  従来の押印マットは、１０ｃｍ四方ぐらいのただの、ゴム又は合成樹脂等の一枚の板である。役所や銀行など、印鑑を頻繁に押す必要のあるところには必ずおいてあるが、いざ印鑑を押すときには、マットを書類の下に敷くときに、持ち上げにくいので非常に不便を感じる。特に重なった何枚もの書類に印鑑を押さなければならないときなど、書類と書類の間にマットを敷くことができないので、一枚一枚紙をめくり、マットの上に乗せてから印鑑を押すことになる。これでは書類に折り目が付いたり、時には皺がよるなど非常に不便である。
【考案の概要】
【考案が解決しようとする課題】
【０００３】  背景技術の項でも述べたように、現在使用されている押印マットは、単なる一枚のゴムまたは合成樹脂の板であり、机の上などにおいてあるとき、それを持ち上げたり、書類の下に敷くときに、柔らかいので折れ曲がったり、又は引っ付いていたりして上手く書類にあてがうことが出来ないことが多い。
本考案は、それらの不便をなくするために、考案されたものである。
【課題を解決するための手段】
【０００４】  本考案は、１０ｃｍ四方の、卓球のラケットのような柄付の薄いプラスチックの板の片面に、厚さ３ｍｍ程度の薄いゴムの板を貼り付けてみたところ、机やテーブルやカウンターの表面に引っ付くことはないし、折れ曲がることも無く、柄をもって簡単に動かせるので、印鑑を押さなければならない箇所にすっと差し入れることが出来た。
試作品は片面だけにゴムを貼ったが、両面に貼ることにより裏表を確認する必要が無いので、使用がより簡単だと言えるし、材質もゴムではなく合成樹脂や、硬質のウレタン樹脂などでも良い。
又芯材になるプラスチックの板も、軽量であれば金属や木製の板でもかまわない。厚さは材質にもよるが１ｍｍ程度もあればよい。
柄に穴を開けておくことにより、伸縮自在ストラップなどを繋いで持ち歩くことも出来るし、紛失及び盗難防止にもなる。又、片面にマットを貼ったものは、複写の必要な書類などの場合は下敷きとしても利用できる。
【考案の効果】
【０００５】  上述のように、押印マットに柄を付けることにより、マットの移動が簡単になり、印鑑を押す必要な箇所にすっと差し入れることが出来る上に、複写書類の下敷きにも利用できる。しかも外回りの多い営業マンなどにも、柄の部分に穴を開けておくことにより、伸縮自在のストラップなどが取り付け可能になり、持ち歩くことが出来るし、紛失防止にもなる。
【図面の簡単な説明】
【０００６】
【図１】本考案の実施例を示す平面図。
【図２】片面にマット貼った断面図。
【図３】図２の両面にマットを貼った断面図。
【考案を実施するための形態】
【０００７】  １０ｃｍ四方の押印マットとして使いやすいと思われる大きさの、プラスチック又は金属又は木製の厚さ１ｍｍ程度の板の一辺に３ｃｍの長さの、厚さ４ｍｍ、幅７ｍｍの柄の付いた板を一体整形したものに、厚さ３ｍｍほどのゴムの板を貼り付けた、卓球のラケット状のものを作成した。
大きさは必ずしも１０ｃｍ四方でなくてもよく、使用状況に合わせてもう少し小さくするとか、長方形でも差し付変えは無い。又、柄の長さ、厚さ、幅もこの限りではない。
片面にマットを貼ったものは、単に押印マットしてだけではなく、裏面は複数の複写を必要とする書類の下敷きとしても使える。
両面にマットを貼ったものは、書類の下に敷くときに裏表の確認をする必要が無いので、押印マットしてだけの機能を重視するならこの方が便利である。
柄の部分に穴を空けたのは、紛失や盗難防止用の紐やストラップを取り付けるためのもの。
【実施例】
【０００８】  以下、添付図面に従って実施例を説明する。１は、曲がり防止と移動や持ち運び用の柄が付いた芯になるプラスチック又は金属又は木製の板で、試作では大きさ１０ｃｍ四方、厚さ１ｍｍとした。２は、マットを動かしたり持ち運びのための柄で、試作では厚さ４ｍｍ、幅７ｍｍ、長さ３ｃｍとした。大きさや厚み、幅はこの限りではない。３は、印鑑を押すためのゴムマットで、試作では厚さ３ｍｍ、大きさは１０ｃｍ四方とした。この材質は他に硬質ウレタン、シリコンゴムなどが考えられるが、印鑑を押した時に綺麗に押すことの出来るものならどんな材質でもよい。４は、紛失や盗難防止のための紐やストラップを取り付けるための穴。
【符号の説明】
【０００９】１、マット
２、マットを動かしたり持ち運ぶための柄
３、穴
４、マットの折れ曲がり防止芯材
【図１】
0003159161.tif 000003
【図２】
0003159161.tif 000004
【図３】
0003159161.tif 000005